(57)【要約】【課題】狙った位置に止水材を留めることで、十分な止水性能を発揮できると共に、周囲を止水材で汚すおそれのない線材の止水構造および止水方法を提供すること。【解決手段】束になった複数の電線Ｗ間の隙間に液状の止水材３を浸透させた後、該止水材３を硬化させる線材の止水方法である。止水材３として磁性流体を用いる。止水材３を電線Ｗ間の隙間に浸透させた後、止水材３が所定箇所に集まるように電線Ｗの束の外部から磁石２により磁界を掛けた状態で止水材３を硬化させる。【選択図】図１
2008282720.tif 000002
【特許請求の範囲】
【請求項１】
束になった複数の線材間の隙間に液状の止水材を浸透させた後、該止水材を硬化させてなる線材の止水構造であって、
前記止水材として磁性流体を用い、該止水材が浸透している前記線材の束の部分の外周を覆うカバー材の外側から前記止水材に磁界を掛けて前記カバー材内の所定箇所に集めた状態で該止水材が硬化していることを特徴とする線材の止水構造。
【請求項２】
前記止水材は、複数の磁性超微粒子を液状の止水剤中に分散させた複合材料であって、各磁性超微粒子の表面には界面活性剤が強固に化学吸着されており、
前記磁界により前記磁性超微粒子と伴に前記液状の止水剤が前記所定箇所に集められることを特徴とする請求項１に記載した線材の止水構造。
【請求項３】
前記複数の線材がワイヤハーネスを形成する電線であり、それら電線間の隙間および該電線の束と前記カバー材の内面との隙間に前記止水材が浸透し且つ硬化していることを特徴とする請求項１または請求項２に記載した線材の止水構造。
【請求項４】
前記複数の線材が被覆電線を形成する芯線であり、それら芯線間の隙間および該芯線の束と前記カバー材である絶縁被覆の内面との隙間に前記止水材が浸透し且つ硬化していることを特徴とする請求項１または請求項２に記載した線材の止水構造。
【請求項５】
束になった複数の線材間の隙間に液状の止水材を浸透させた後、該止水材を硬化させる線材の止水方法であって、
前記止水材として磁性流体を用い、
該止水材を前記線材間の隙間に浸透させた後、前記止水材が浸透している前記線材の束の部分の外周を覆うカバー材の外側から、前記止水材を前記カバー材内の所定箇所に集めるように、磁石により磁界を掛けた状態で前記止水材を硬化させることを特徴とする線材の止水方法。
【請求項６】
前記止水材は、複数の磁性超微粒子を液状の止水剤中に分散させた複合材料であって、各磁性超微粒子の表面には界面活性剤が強固に化学吸着されており、
前記磁界により前記磁性超微粒子と伴に前記液状の止水剤が前記所定箇所に集められることを特徴とする請求項５に記載した線材の止水方法。
【請求項７】
前記磁石として電磁石を用い、該電磁石のコイルに交流電流を流すことで交番磁界を発生させ、該交番磁界により前記止水材を所定箇所に集めることを特徴とする請求項５または請求項６に記載した線材の止水方法。
【請求項８】
前記止水材が針状の磁性超微粒子を含有することを特徴とする請求項７に記載した線材の止水方法。
【請求項９】
前記複数の線材がワイヤハーネスを形成する電線であり、それら電線間の隙間に前記止水材を浸透させた状態で、前記電線の束の外周に前記カバー材として被せたシートの外側から磁石により磁界を掛けて、前記止水材を前記所定箇所に集めることを特徴とする請求項５〜請求項８のいずれか一項に記載した線材の止水方法。
【請求項１０】
前記複数の線材が被覆電線を形成する芯線であり、それら芯線間の隙間および該芯線の束と前記カバー材である絶縁被覆の内面との隙間に前記止水材を浸透させた状態で、前記絶縁被覆の外側から磁石により磁界を掛けて、前記止水材を前記所定箇所に集めることを特徴とする請求項５〜請求項８のいずれか一項に記載した線材の止水方法。
【発明の詳細な説明】
【技術分野】
【０００１】
本発明は、ワイヤハーネスを構成する電線間の隙間や被覆電線の芯線間の隙間などを止水する線材の止水構造および止水方法に関する（尚、本発明の説明における『止水』は、水の浸入を阻止することに限らず、水、油、アルコール、等を含む液体全般に有効に作用することを意味するが、ここでは一般的に名称として広く用いられている『止水』を用いて説明する）。
【背景技術】
【０００２】
ワイヤハーネスの電線間（即ち、ワイヤハーネスを形成する線材間）の隙間を止水材で封止する止水方法として、図６に示すように、ワイヤハーネスを構成する複数の電線Ｗ（即ち、電線Ｗの束）に止水材２００を塗布した後、塗布した箇所にシート（即ち、カバー材）１０を巻き付け、次にシート１０を図示略のクリップで一時的に固定して、止水材２００が硬化した後にシート１０からクリップを外して、当該シート１０の部分を図示略のグロメットの首部で覆い、グロメットをワイヤハーネスに固定するようにしたものが知られている（例えば、特許文献１参照）。この場合、作業上の止水材２００の充填幅Ｂ（シート１０で覆う長さ）は、止水材２００の必要止水幅Ａよりも大きくしてある。
【０００３】
この方法では、止水材２００を塗布した後にシート１０でくるむだけなので、止水材２００が毛細管現象により電線Ｗ間の隙間を伝って必要止水幅Ａの外側へ流失してしまい、思った通りの止水性能が確保できないおそれがある。また、シート１０の外側にはみ出した止水材２００のはみ出し部分２０１が周囲を汚してしまうおそれもある。このように、はみ出し部分２０１が大きくなるように止水材２００が電線Ｗ間の隙間および電線Ｗとシート１０の内面との隙間に浸透後、硬化したワイヤハーネスは、その長さ方向に長い距離にわたって硬い部分を有するものとなってしまい、よってワイヤハーネスに必要な可撓性が低いものとなってしまう。
【０００４】
次に、被覆電線の芯線間（即ち、被覆電線を形成する線材間）の隙間を止水材で封止する止水方法の一例を図７を参照しながら説明する。図７に示されるように、被覆電線５１は、その複数の芯線（導体）５３の周囲に絶縁被覆（即ち、カバー材）５４を有する。この被覆電線５１には、その端末部に接続端子５２が圧着されている（即ち、加締められている）。
【０００５】
被覆電線５１への接続端子５２の圧着は、絶縁被覆５４が除去されて芯線５３が露出されている被覆電線５１の端末部を接続端子５２のバレル５５間にセットし、そしてバレル５５を加締めて閉じ、これにより芯線５３および絶縁被覆５４を接続端子５２に圧着固定する。
【０００６】
このような接続端子５２付きの被覆電線５１の芯線５３間を止水する止水方法では、被覆電線５１の端末部に対し、上から（即ち、図７に向かって手前側から）鎖線楕円６０の中心を目掛けて、流動性のある止水材を滴下供給し、止水材を絶縁被覆５４の内側に浸透させ、これにより芯線５３間の隙間および芯線５３と絶縁被覆５４の内面との隙間が止水材により埋められることを狙っている。尚、止水材としては、東亞合成株式会社製のアロンアルファ（登録商標）等の接着剤が用いられる。
【０００７】
しかしながら、この方法による止水処理では、芯線５３間の隙間および芯線５３と絶縁被覆５４の内面との隙間に毛細管現象のために均一に止水材が流れ込まない。それ故、鎖線楕円６０の中心を目掛けて規定量の止水材を滴下供給しても、芯線５３間あるいは芯線５３と絶縁被覆５４との間に隙間ができて（即ち、隙間が残って）所望の止水効果が得られない可能性が高い。
【０００８】
そのため、大量の止水材を鎖線楕円６０の中心を目掛けて滴下供給すると、隙間を埋めるという点では止水材が有効に作用する反面、止水材が必要止水幅以上に浸透してしまうという欠点が生じてしまう。つまり、止水材が芯線５３間の隙間および芯線５３と絶縁被覆５４との隙間に必要止水幅以上浸透後、硬化した被覆電線５１は、その長さ方向に長い距離にわたって硬い部分を有するものとなってしまい、よって被覆電線５１（即ち、ワイヤハーネス）に必要な可撓性が低いものとなってしまう。
【０００９】
このように、線材間の隙間に浸透させた止水材が何処まで浸透しているかを確認するのが困難な止水構造においては、上述した止水方法では止水処理の信頼性にばらつきが生じてしまう。
【００１０】
【特許文献１】特開２００５−７３３８９号公報
【発明の開示】
【発明が解決しようとする課題】
【００１１】
本発明は、上述した事情に鑑みてなされたものであり、その目的は、狙った位置に止水材を留めることができ、よって十分な止水性能を発揮できると共に、周囲を止水材で汚すおそれのない線材の止水構造および線材の止水方法を提供することにある。
【課題を解決するための手段】
【００１２】
前述した目的を達成するために、本発明に係る線材の止水構造は、下記（１）〜（４）を特徴としている。
（１）  束になった複数の線材間の隙間に液状の止水材を浸透させた後、該止水材を硬化させてなる線材の止水構造であって、
前記止水材として磁性流体を用い、該止水材が浸透している前記線材の束の部分の外周を覆うカバー材の外側から前記止水材に磁界を掛けて前記カバー材内の所定箇所に集めた状態で該止水材が硬化していること。
（２）  上記（１）の構成の止水構造において、
前記止水材は、複数の磁性超微粒子を液状の止水剤中に分散させた複合材料であって、各磁性超微粒子の表面には界面活性剤が強固に化学吸着されており、
前記磁界により前記磁性超微粒子と伴に前記液状の止水剤が前記所定箇所に集められること。
（３）  上記（１）または（２）の構成の止水構造において、
前記複数の線材がワイヤハーネスを形成する電線であり、それら電線間の隙間および該電線の束と前記カバー材の内面との隙間に前記止水材が浸透し且つ硬化していること。
（４）  上記（１）または（２）の構成の止水構造において、
前記複数の線材が被覆電線を形成する芯線であり、それら芯線間の隙間および該芯線の束と前記カバー材である絶縁被覆の内面との隙間に前記止水材が浸透し且つ硬化していること。
【００１３】
上記（１）の構成の止水構造によれば、磁力を用いて狙った位置に止水材を集めて硬化させたので、設計通りの止水性能を得ることができると共に、設計範囲外に止水材がはみ出して周囲を汚すのを防止することができる。
上記（２）の構成の止水構造によれば、磁力を用いて狙った位置に磁性超微粒子と伴に集められた止水剤を硬化させたので、設計通りの止水性能を得ることができると共に、設計範囲外に止水材がはみ出して周囲を汚すのを防止することができる。
上記（３）の構成の止水構造によれば、ワイヤハーネスを構成する電線間の隙間および該電線の束とカバー材の内面との隙間が効果的に止水される。また、この止水構造では、ワイヤハーネスに必要な可撓性を極力低めずに前記隙間が止水される。また、この止水構造のように止水材の磁性体を纏った電線は、フェライトが装着された場合と同様、通電された際にノイズ低減効果を奏する。
上記（４）の構成の止水構造によれば、被覆電線を構成する芯線間の隙間および該芯線の束と絶縁被覆の内面との隙間が効果的に止水される。また、この止水構造では、被覆電線に必要な可撓性を極力低めずに前記隙間が止水される。また、この止水構造のように止水材の磁性体を纏った芯線は、フェライトが装着された電線と同様、通電された際にノイズ低減効果を奏する。
【００１４】
前述した目的を達成するために、本発明に係る線材の止水方法は、下記（５）〜（１０）を特徴としている。
（５）  束になった複数の線材間の隙間に液状の止水材を浸透させた後、該止水材を硬化させる線材の止水方法であって、
前記止水材として磁性流体を用い、
該止水材を前記線材間の隙間に浸透させた後、前記止水材が浸透している前記線材の束の部分の外周を覆うカバー材の外側から、前記止水材を前記カバー材内の所定箇所に集めるように、磁石により磁界を掛けた状態で前記止水材を硬化させること。
（６）  上記（５）の止水方法において、
前記止水材は、複数の磁性超微粒子を液状の止水剤中に分散させた複合材料であって、各磁性超微粒子の表面には界面活性剤が強固に化学吸着されており、
前記磁界により前記磁性超微粒子と伴に前記液状の止水剤が前記所定箇所に集められること。
（７）  上記（５）または（６）の止水方法において、
前記磁石として電磁石を用い、該電磁石のコイルに交流電流を流すことで交番磁界を発生させ、該交番磁界により前記止水材を所定箇所に集めること。
（８）  上記（７）の止水方法において、
前記止水材が針状の磁性超微粒子を含有すること。
（９）  上記（５）〜（８）のいずれかの止水方法において、
前記複数の線材がワイヤハーネスを形成する電線であり、それら電線間の隙間に前記止水材を浸透させた状態で、前記電線の束の外周に前記カバー材として被せたシートの外側から磁石により磁界を掛けて、前記止水材を前記所定箇所に集めること。
（１０）  上記（５）〜（８）のいずれかの止水方法において、
前記複数の線材が被覆電線を形成する芯線であり、それら芯線間の隙間および該芯線の束と前記カバー材である絶縁被覆の内面との隙間に前記止水材を浸透させた状態で、前記絶縁被覆の外側から磁石により磁界を掛けて、前記止水材を前記所定箇所に集めること。
【００１５】
上記（５）の止水方法によれば、磁石を使用することにより、狙った位置に止水材を必要な時間だけ集めて硬化させることができるので、設計通りの止水性能を得ることができると共に、設計範囲外に止水材がはみ出して周囲を汚すのを有効に防止することができる。
上記（６）の止水方法によれば、磁石を使用することにより、狙った位置に磁性超微粒子と伴に止水剤を集めて硬化させることができるので、設計通りの止水性能を得ることができると共に、設計範囲外に止水材がはみ出して周囲を汚すのを有効に防止することができる。
上記（７）の止水方法によれば、交流電流を電磁石のコイルに流すことにより、磁性流体（止水材）中の磁性体（磁性超微粒子）を微細な磁石として連続的に動かすことができるので、止水材を攪拌する効果を生じさせることができて、その結果、狙った位置に止水材を充填させやすくなる。また、交流電流を電磁石のコイルに流すことでＩＨ（電磁誘導加熱）が行なわれるため、止水材として熱硬化性のものを使った場合、該止水材を効率よく硬化させることができる。
更に、上記（８）の止水方法によれば、交流電流を電磁石のコイルに流すことにより、針状の磁性体の向きを連続的に変えることができるので、止水材を攪拌して狙った位置に止水材を充填させる上で、更に効果的である。
上記（９）の止水方法によれば、ワイヤハーネスを構成する電線間の隙間および該電線の束とシートの内面との隙間を効果的に止水することができる。また、この止水方法によれば、ワイヤハーネスに必要な可撓性を極力低めずに前記隙間を止水することができる。また、このように止水材の磁性体を纏った電線は、フェライトが装着された場合と同様、通電された際にノイズ低減効果を奏する。
上記（１０）の止水方法によれば、被覆電線を構成する芯線間の隙間および該芯線の束と絶縁被覆の内面との隙間を効果的に止水することができる。また、この止水方法によれば、被覆電線に必要な可撓性を極力低めずに前記隙間を止水することができる。また、このように止水材の磁性体を纏った芯線は、フェライトが装着された電線と同様、通電された際にノイズ低減効果を奏する。
【発明の効果】
【００１６】
本発明によれば、狙った位置に止水材を留めることができるので十分な止水性能を発揮できると共に、周囲を止水材で汚すおそれもなくなる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係る好適な実施形態を図面を参照しながら詳細に説明する。
【００１９】
＜第１実施形態＞
図１は第１実施形態の止水方法を実施している状態を示す図であって、図１（ａ）は斜視図、そして図１（ｂ）は原理説明のための図（磁石の断面図、およびシート内の透視図を含む。）である。
【００２０】
図１（ａ）および（ｂ）に示される第１実施形態の止水方法では、まず、カバー材としてのシート１と、磁石２と、液状の止水材３とを用意する。シート１としては、磁石２の磁束が通過可能で液状の止水材３が浸透しない非磁性の樹脂シート等を用いる。磁石２としては、半径方向に磁化（着磁）され外周側と内周側それぞれに磁極（Ｎ極とＳ極）を持つリング状の永久磁石を用いる。尚、本実施形態では半割れ可能に構成された永久磁石を磁石２として用いたが、一体形成された永久磁石であってもよい。止水材３としては、磁性流体を用いる。つまり、止水材３は、ベース液となる液状の止水剤（即ち、接着剤等といった樹脂）の中に極めて複数の磁性超微粒子（即ち、磁性体）を均一に分散させたもの（複合材料）であって、各磁性超微粒子の表面には界面活性剤が強固に化学吸着されている。磁性超微粒子は、激しい熱運動と、表面の界面活性剤層の相互反発力のため、止水剤内で凝集することなく安定な分散状態を保つ。磁性超微粒子としては、マグネタイト等の強磁性超微粒子を用いる。
【００２１】
次いで、ワイヤハーネスを構成する電線（本実施形態では銅を導体とした被覆電線）Ｗの束の止水すべき箇所に、上述の止水材３を塗布して、電線Ｗ間の隙間に止水材３を浸透させた状態で、止水材３を塗布した箇所に、シート１を巻き付ける。その後、磁石２をシート１の外側からあてがい、シート１の外側から止水材３に磁界を掛ける。そうすると、特に図１（ｂ）に示すように磁力線１０の作用で、止水材３が止水すべき範囲にわたる電線Ｗ間の隙間および該電線Ｗの束とシート１の内面との隙間を埋めるように集まる。そこで、この状態を維持しながら、止水材３を硬化させる。そうすることにより、シート１内の所定箇所に止水材３が集められて硬化されたワイヤハーネスの止水構造が出来上がる。尚、この止水方法では、先ず電線Ｗの束に止水材３を塗布した後、該止水材３を塗布した箇所にシート１を巻き付ける手順を採っているが、その代わりに、先ず電線Ｗの束にシート１を巻き付けた後、電線Ｗ間の隙間および該電線Ｗの束とシート１の内面との隙間に止水材３を浸透するよう注入する手順を採ってもよい。
【００２２】
このように、磁石２を使用することにより狙った位置に必要な時間だけ止水材３を集めて、該止水材を硬化させるので、設計通りの止水性能を得ることができると共に、設計範囲外に止水材３がはみ出して周囲を汚すのを有効に防止することができる。
【００２３】
＜第２実施形態＞
次に、図２を用いて第２実施形態を説明する。第２実施形態では、磁石として、リング状に一体形成された磁芯６にコイル７を巻いた電磁石５を用い、コイル７に電流を流す電源として交流電源８を用いると共に、止水材（不図示）として、ベース液となる液状の止水剤（即ち、接着剤等といった樹脂）の中に極めて複数の針状の磁性超微粒子（即ち、針状の磁性体）を均一に分散させた磁性流体を用いる。この止水材の各磁性超微粒子の表面には上述の止水材３と同様に界面活性剤が強固に化学吸着されており、磁性超微粒子は、激しい熱運動と、表面の界面活性剤層の相互反発力のため、止水剤内で凝集することなく安定な分散状態を保つ。その他は第１実施形態と同じである。
【００２４】
この実施形態の止水方法でも、まず、ワイヤハーネスを構成する電線（本実施形態では銅を導体とした被覆電線）Ｗの束の止水すべき箇所に、上述の止水材を塗布して、電線Ｗ間の隙間に止水材を浸透させた状態で、止水材を塗布した箇所に、シート１を巻き付ける。その後、電磁石５をシート１の外側からあてがい、シート１の外側から止水材に磁界を掛ける。
【００２５】
その際、本実施形態では、電磁石５のコイル７に交流電流を流すことで交番磁界を発生させ、該交番磁界により止水材を所定箇所に集める。そうすることにより、磁性流体（止水材）中の針状の磁性体が、微細な磁石として働くが、単にそれだけではなく、交番磁界によって連続的に向きを変えるので、止水材を攪拌する効果を奏する。それ故、狙った位置に止水材の止水剤を充填させやすくなる。そして、この状態を維持しながら、止水材を硬化させることにより、所定箇所に止水材が集められて硬化されたワイヤハーネスの止水構造が出来上がる。従って、第１実施形態と同様、或いはそれ以上の効果を奏することができる。尚、この止水方法でも、先ず電線Ｗの束に止水材を塗布した後、該止水材を塗布した箇所にシート１を巻き付ける手順を採っているが、その代わりに、先ず電線Ｗの束にシート１を巻き付けた後、電線Ｗ間の隙間および該電線Ｗの束とシート１の内面との隙間に止水材を浸透するよう注入する手順を採ってもよい。
【００２６】
ところで、上述した第１実施形態および第２実施形態では、流動性のある止水材として磁界により磁性超微粒子と伴に液状の止水剤が移動する特性（換言すれば、磁界により液状の止水材全体があたかも強磁性を持っているかのように移動する特性）を持つものを用いたが、これに限らず、本発明で止水材として用いる磁性流体は、液状の止水剤（即ち、接着剤等といった樹脂）に単に微細な鉄粉を混ぜた安価なものであってもよい。このように磁性流体中の磁性体が鉄粉のように錆びやすい性質を持っている場合、図３に示すように電線Ｗの両側から入ってくる外気や水分Ｓの影響で磁性体３ａが錆びることが通常は懸念されるが、磁石２の作用で磁性体３ａの分布を止水材２の中央に多く集めることにより、その両側の止水材３の止水剤が、外気や水分Ｓを遮断し、防錆効果を奏する。
【００２７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
上述した第１実施形態および第２実施形態では、本発明を、ワイヤハーネスを構成する電線（被覆電線）Ｗ間の隙間および該電線Ｗの束とシート１の内面との隙間を止水材で封じる場合に適用した例について説明したが、本発明は、被覆電線を構成する芯線間の隙間および該芯線の束とその周りの絶縁被覆の内面との隙間を止水材で封じる場合にも適用することができる。
【００２９】
これは例えば、上述した第１実施形態の止水方法を１本の被覆電線に対して実施している様子を示す図４（ａ）および（ｂ）から明らかなように、被覆電線Ｗの端末部にある銅製の芯線Ｗａの露出部分に止水材供給装置２０から止水材３を滴下供給して絶縁被覆Ｗｂの内側へ浸透させた後、磁石２で絶縁被覆Ｗｂの外側から掛けた磁界によって止水材３を絶縁被覆Ｗｂ内の所定箇所まで引き込んで芯線間Ｗａの隙間および該芯線Ｗａの束と絶縁被覆Ｗｂの内面との隙間に浸透させることである。
【００３０】
尚、これと同様に、上記第２実施形態の止水方法が１本の被覆電線に対しても実施できることは言うまでもない。また、図７の従来例と同様に接続端子５２が端末部に取り付けられた被覆電線Ｗの場合でも、図５に示すように、図４（ａ）および（ｂ）の例と同様に第１実施形態の止水方法を適用することができる。勿論、上記第２実施形態の止水方法をこの接続端子５２付き被覆電線Ｗに対して実施してもよい。
【００３１】
また、上記止水方法において、磁石（電磁石）および電線の少なくとも一方を微振動させると、止水材内の磁性体が動きやすくなるので、好ましい。この場合、第２実施形態については電磁石のコイルに電流を流す電源として交流電源を用いる代わりに直流電源を用いてもよい。
【００３２】
尚、磁石については、例えば、２分割可能、３分割可能、４分割可能、等といったように分割可能に構成されたものが好ましい。このように分割可能な磁石は、線材の周りに配置し易いので好ましい。例えば、半割れ可能に構成された磁石の場合、図示した磁石の磁極（Ｎ極とＳ極）の配置に準拠すると、磁石の第１半円弧部の外周側部分がＮ極、そして内周側部分がＳ極となり、そして磁石の第２半円弧部の外周側部分がＳ極、そして内周側部分がＮ極となる。尚、このように、内周部でＮ極とＳ極が対向する位置にあるリング状の磁石は、線材を通過する磁束が多くなるので、好ましい。
【００３３】
但し、磁石の磁極（Ｎ極とＳ極）の配置については、図示した配置に限らず、止水材を所定箇所に集められる配置であれば、何でもよい。また、磁石の形についてもリング状に限らず、止水材を所定箇所に集められるものであれば、何でもよい。但し、リング状の磁石は、止水材を浸透させた線材に対してその周りから集中して磁界を掛け易いので好ましい。
【００３４】
また、上述した第２実施形態の止水方法では、止水材として、針状の磁性体を含有するものを用いたが、磁性体の形状が針状でなくてもよいものとする。但し、針状の磁性体を用いた方が止水材を攪拌する上でより好ましいことは言うまでもない。
【００３５】
ここで、本発明の理解を深めるため、上記実施形態に係る線材の止水構造について簡潔に纏めて述べる。
【００３６】
束になった複数の線材（Ｗ）間の隙間に液状の止水材（３）を浸透させた後、該止水材（３）を硬化させてなる線材の止水構造であって、止水材（３）として磁性流体を用い、該止水材（３）が浸透している線材（Ｗ）の束の部分の外周を覆うカバー材（１；Ｗｂ）の外側から止水材（３）に磁界を掛けてカバー材（１；Ｗｂ）内の所定箇所に集めた状態で該止水材（３）が硬化している線材の止水構造。この止水構造では、磁力を用いて狙った位置に止水材（３）を集めて硬化させたので、設計通りの止水性能が得られると共に、設計範囲外に止水材（３）がはみ出して周囲を汚すのを防止できる。
止水材（３）は、複数の磁性超微粒子を液状の止水剤中に分散させた複合材料であって、各磁性超微粒子の表面には界面活性剤が強固に化学吸着されており、磁界により磁性超微粒子と伴に液状の止水剤が前記所定箇所に集められる。この止水構造では、磁力を用いて狙った位置に磁性超微粒子と伴に集められた止水剤を硬化させたので、設計通りの止水性能が得られると共に、設計範囲外に止水材（３）がはみ出して周囲を汚すのを防止できる。
前記複数の線材がワイヤハーネスを形成する電線（Ｗ）であり、それら電線（Ｗ）間の隙間および該電線（Ｗ）の束とカバー材（１）の内面との隙間に止水材（３）が浸透し且つ硬化している。この止水構造では、ワイヤハーネスを構成する電線（Ｗ）間の隙間および該電線（Ｗ）の束とカバー材（１）の内面との隙間が効果的に止水される。また、この止水構造では、ワイヤハーネスに必要な可撓性を極力低めずに前記隙間が止水される。また、この止水構造のように止水材（３）の磁性体を纏った電線（Ｗ）は、フェライトが装着された場合と同様、通電された際にノイズ低減効果を奏する。
前記複数の線材が被覆電線（Ｗ）を形成する芯線（Ｗａ）であり、それら芯線（Ｗａ）間の隙間および該芯線（Ｗａ）の束とカバー材である絶縁被覆（Ｗｂ）の内面との隙間に止水材（３）が浸透し且つ硬化している。この止水構造では、被覆電線（Ｗ）を構成する芯線（Ｗａ）間の隙間および該芯線（Ｗａ）の束と絶縁被覆（Ｗｂ）の内面との隙間が効果的に止水される。また、この止水構造では、被覆電線（Ｗ）に必要な可撓性を極力低めずに前記隙間が止水される。また、この止水構造のように止水材（３）の磁性体を纏った芯線（Ｗａ）は、フェライトが装着された電線と同様、通電された際にノイズ低減効果を奏する。
【００３７】
また、ここで、本発明の理解を深めるため、上記実施形態に係る線材の止水方法について簡潔に纏めて述べる。
【００３８】
束になった複数の線材（Ｗ）間の隙間に液状の止水材（３）を浸透させた後、該止水材（３）を硬化させる線材の止水方法であって、止水材（３）として磁性流体を用い、該止水材（３）を線材（Ｗ）間の隙間に浸透させた後、止水材（３）が浸透している線材（Ｗ）の束の部分の外周を覆うカバー材（１；Ｗｂ）の外側から、止水材（３）をカバー材（１；Ｗｂ）内の所定箇所に集めるように、磁石（２；５）により磁界を掛けた状態で止水材（３）を硬化させる線材の止水方法。この止水方法では、磁石（２；５）を使用することにより、狙った位置に止水材（３）を必要な時間だけ集めて硬化させることができるので、設計通りの止水性能を得ることができると共に、設計範囲外に止水材（３）がはみ出して周囲を汚すのを有効に防止することができる。
止水材（３）は、複数の磁性超微粒子を液状の止水剤中に分散させた複合材料であって、各磁性超微粒子の表面には界面活性剤が強固に化学吸着されており、磁界により磁性超微粒子と伴に液状の止水剤が前記所定箇所に集められる。この止水方法では、磁石（２；５）を使用することにより、狙った位置に磁性超微粒子と伴に止水剤を集めて硬化させることができるので、設計通りの止水性能を得ることができると共に、設計範囲外に止水材（３）がはみ出して周囲を汚すのを有効に防止することができる。
前記磁石として電磁石（５）を用い、該電磁石（５）のコイル（７）に交流電流を流すことで交番磁界を発生させ、該交番磁界により止水材を所定箇所に集める。この止水方法では、交流電流を電磁石（５）のコイル（７）に流すことにより、磁性流体（止水材）中の磁性体（磁性超微粒子）を微細な磁石として連続的に動かすことができるので、止水材を攪拌する効果を生じさせることができて、その結果、狙った位置に止水材を充填させやすくなる。また、交流電流を電磁石（５）のコイル（７）に流すことでＩＨ（電磁誘導加熱）が行なわれるため、止水材として熱硬化性のものを使った場合、該止水材を効率よく硬化させることができる。この実施形態では、止水材が針状の磁性超微粒子を含有するものであると好ましく、その場合、交流電流を電磁石のコイルに流すことにより、針状の磁性体の向きを連続的に変えることができるので、止水材を攪拌して狙った位置に止水材を充填させる上で、更に効果的である。
前記複数の線材がワイヤハーネスを形成する電線（Ｗ）であり、それら電線（Ｗ）間の隙間に止水材（３）を浸透させた状態で、電線（Ｗ）の束の外周にカバー材として被せたシート（１）の外側から磁石（２；５）により磁界を掛けて、止水材（３）を前記所定箇所に集める。この止水方法では、ワイヤハーネスを構成する電線（Ｗ）間の隙間および該電線（Ｗ）の束とシート（１）の内面との隙間を効果的に止水することができる。また、この止水方法では、ワイヤハーネスに必要な可撓性を極力低めずに前記隙間を止水することができる。また、このように止水材（３）の磁性体を纏った電線（Ｗ）は、フェライトが装着された場合と同様、通電された際にノイズ低減効果を奏する。
前記複数の線材が被覆電線（Ｗ）を形成する芯線（Ｗａ）であり、それら芯線（Ｗａ）間の隙間および該芯線（Ｗａ）の束とカバー材である絶縁被覆（Ｗｂ）の内面との隙間に止水材（３）を浸透させた状態で、絶縁被覆（Ｗｂ）の外側から磁石（２；５）により磁界を掛けて、止水材（３）を前記所定箇所に集める。この止水方法では、被覆電線（Ｗ）を構成する芯線（Ｗａ）間の隙間および該芯線（Ｗａ）の束と絶縁被覆（Ｗｂ）の内面との隙間を効果的に止水することができる。また、この止水方法によれば、被覆電線（Ｗ）に必要な可撓性を極力低めずに前記隙間を止水することができる。また、このように止水材（３）の磁性体を纏った芯線（Ｗａ）は、フェライトが装着された電線と同様、通電された際にノイズ低減効果を奏する。
【図面の簡単な説明】
【００３９】
【図１】本発明の第１実施形態の止水方法を実施している状態を示す図であって、（ａ）は斜視図、そして（ｂ）は原理説明のための図（磁石の断面図、およびシート内の透視図を含む。）である。
【図２】本発明の第２実施形態の止水方法を実施している状態を示す斜視図である。
【図３】防錆効果の説明図である。
【図４】第１実施形態の止水方法を１本の被覆電線に対して実施している様子を示す図であって、（ａ）は斜視図、そして（ｂ）は原理説明のための図（磁石の断面図、および絶縁被覆の断面図を含む。）である。
【図５】第１実施形態の止水方法を１本の、接続端子付き被覆電線に対して実施している様子を示す側面図である。
【図６】従来例を示す斜視図である。
【図７】他の従来例を示す上面図である。
【符号の説明】
【００４０】
Ｗ：電線
１：シート（カバー材）
２：磁石
３：止水材（磁性流体）
５：電磁石
７：コイル
【図１】
2008282720.tif 000003
【図２】
2008282720.tif 000004
【図３】
2008282720.tif 000005
【図４】
2008282720.tif 000006
【図５】
2008282720.tif 000007
【図６】
2008282720.tif 000008
【図７】
2008282720.tif 000009